(57)【要約】      （修正有）【課題】開口部に臨む天端フラップの端縁に手を掛けて持ち上げても、接着部が剥がれて内容物が飛び出さないようにした包装箱を提供する。【解決手段】底壁１、対向する側壁２及び天壁３並びにこれらの両端からそれぞれ延出した底端フラップ５、側端フラップ６及び天端フラップ７を有し、側端フラップ６と底端フラップ５及び天端フラップ７とを端面で貼り合わせて物品を包装する包装箱を形成する。底端フラップ５、側端フラップ６及び天端フラップ７を、その先端縁に囲まれた開口部が端面に形成されるように短くしておく。さらに、側端フラップ６の外側に貼り合わせる天端フラップ７の先端縁を抉って、その抉り部分を把持縁１０とし、側端フラップ６と天端フラップ７の接着部１２よりも把持縁１０を上方に位置させる。天端フラップ７の把持縁１０から上端までの距離が短くなり、接着部１２を剥がそうとするモーメントが小さくなる。【選択図】図３
0003171505.tif 000002
【実用新案登録請求の範囲】
【請求項１】
底壁(1)、対向する側壁(2)及び天壁(3)並びにこれらの両端からそれぞれ延出した底端フラップ(5)、側端フラップ(6)及び天端フラップ(7)を有し、側端フラップ(6)と底端フラップ(5)及び天端フラップ(7)とを端面で貼り合わせて物品を包装する包装箱において、前記底端フラップ(5)、側端フラップ(6)及び天端フラップ(7)を、その先端縁に囲まれた開口部が端面に形成されるように短くしておき、側端フラップ(6)の外側に貼り合わせる天端フラップ(7)の先端縁を抉って、その抉り部分を把持縁(10)とし、側端フラップ(6)と天端フラップ(7)の接着部(12)よりも、把持縁(10)が上方に位置するようにしたことを特徴とする包装箱。
【請求項２】
前記天壁(3)の天端フラップ(7)寄りの部分に、親指を挿入する指入穴(11)を設けたことを特徴とする請求項１に記載の包装箱。
【考案の詳細な説明】
【技術分野】
【０００１】
この考案は、短いフラップを重ね合わせて、端面が開口した状態で物品を包装する包装箱に関するものである。
【背景技術】
【０００２】
例えば、下記特許文献１には、図５に示すように、飲料入りペットボトルＰの配送に使用する段ボール製包装箱として、連設した底壁５１、対向する側壁５２及び天壁５３を筒状に折り曲げ、これらを継代片５４を介し接合して、集積したペットボトルＰを包み込むラップラウンド型のものが記載されている。
【０００３】
この包装箱は、底壁５１、側壁５２及び天壁５３の両端からそれぞれ延出した底端フラップ５５、側端フラップ５６及び天端フラップ５７を有し、側端フラップ５６と底端フラップ５４及び天端フラップ５７とを貼り合わせて、端面を閉止する。天端フラップ５７には、運搬時に手を掛ける把手穴５８が長円形の切込により形成されている。
【先行技術文献】
【特許文献】
【０００４】
【特許文献１】特開２００５−６７６９８号公報
【考案の概要】
【考案が解決しようとする課題】
【０００５】
ところで、ラップラウンド型の包装箱では、開梱後の廃棄包材の減量化のため、端面で重なり合う各フラップを短くすることが検討されており、この場合、端面に各フラップの先端縁に囲まれた開口部が形成されるため、運搬に際し、把手穴ではなく、端面の開口部に臨む天端フラップの端縁に手を掛けて持ち上げられることが予想される。
【０００６】
しかしながら、このように持ち上げると、側端フラップと天端フラップとの接着部が剥がれ、端面が開いて、内容物であるペットボトルが飛び出すおそれがある。
【０００７】
そこで、この考案は、開口部に臨む天端フラップの端縁に手を掛けて持ち上げても、接着部が剥がれて内容物が飛び出さないようにすることを課題とする。
【課題を解決するための手段】
【０００８】
上記課題を解決するため、この考案は、底壁、対向する側壁及び天壁並びにこれらの両端からそれぞれ延出した底端フラップ、側端フラップ及び天端フラップを有し、側端フラップと底端フラップ及び天端フラップとを端面で貼り合わせて物品を包装する包装箱において、前記底端フラップ、側端フラップ及び天端フラップを、その先端縁に囲まれた開口部が端面に形成されるように短くしておき、側端フラップの外側に貼り合わせる天端フラップの先端縁を抉って、その抉り部分を把持縁とし、側端フラップと天端フラップの接着部よりも、把持縁が上方に位置するようにし、また、天壁の天端フラップ寄りの部分に、親指を挿入する指入穴を設けたのである。
【考案の効果】
【０００９】
この考案に係る包装箱では、天端フラップの把持縁から上端までの距離が短くなることから、天端フラップの把持縁に手を掛けて持ち上げたとき、天端フラップと側端フラップの接着部を剥がそうとするモーメントが小さくなり、運搬時における接着部の剥がれが防止され、内容物の飛び出しが防止される。
【図面の簡単な説明】
【００１０】
【図１】この考案の実施形態に係る包装箱のブランクを示す図
【図２】同上の包装箱の組立状態を示す斜視図
【図３】同上の運搬時の状態を示す斜視図
【図４】同上の把持部分を示す拡大断面図
【図５】従来の包装箱の組立状態を示す斜視図
【考案を実施するための形態】
【００１１】
以下、この考案の実施形態を添付図面に基づいて説明する。
【００１２】
この包装箱は、飲料入りペットボトルの集合包装に使用するものであり、図１に示す段ボールのブランクから形成される。
【００１３】
このブランクでは、底壁１の一側に側壁２及び天壁３が、他側に側壁２及び継代片４がそれぞれ連設され、底壁１の両端には底端フラップ５が、側壁２の両端には側端フラップ６が、天壁３の両端には天端フラップ７がそれぞれ連設されている。
【００１４】
底端フラップ５と天端フラップ７は、ブランク面積の削減に伴う省資源化を考慮して、組立時に先端縁同士が突き合わされないような短い寸法とされ、側端フラップ６もこれに揃えられている。
【００１５】
側壁２及び側端フラップ６には、開封用の引裂帯８が段ボールの裏ライナを切断するライナカットにより設けられ、側壁２の中央部には、引裂帯８の始端となる切始部９が切目を入れて形成されている。
【００１６】
そして、天端フラップ７の先端縁は、半円状に抉られて、その抉り部分の中間部が把持縁１０とされている。
【００１７】
また、天壁３の天端フラップ７寄りの部分には、切込により半円状舌片を形成し、その部分の押込により親指を挿入する指入穴１１が設けられている。
【００１８】
このようなブランクを組み立ててペットボトルを包装するには、図２に示すように、底壁１に集積したペットボトルＰを載せ、一対の側壁２を起こし、天壁３をペットボトルＰの上方に被せ、継代片４を内側水平方向へ折り曲げ、継代片４に天壁３を接着剤により貼り付ける。
【００１９】
そして、一対の側端フラップ６を端面側へ折り曲げ、底端フラップ５及び天端フラップ７とを端面側へ折り曲げて、側端フラップ６に底端フラップ５及び天端フラップ７を接着剤により貼り合わせる。
【００２０】
この接着に際しては、側端フラップ６と天端フラップ７との接着部１２よりも、天端フラップ７の把持縁１０が上方に位置するように、接着部１２の位置を設定する。
【００２１】
これにより、側端フラップ６と底端フラップ５及び天端フラップ７の先端縁に囲まれた開口部が端面に形成された状態で、ペットボトルＰが包装される。
【００２２】
このように組み立てた包装箱を運搬する際には、図３及び図４に示すように、天端フラップ７の把持縁１０に人差し指から小指までを掛け、天壁３の指入穴１１の内側部分を押し込み、指入穴１１に親指を挿入して持ち上げる。
【００２３】
上記のような包装箱では、天端フラップ７の把持縁１０から上端までの距離が短くなることから、把持縁１０に手を掛けて持ち上げたとき、天端フラップ７と側端フラップ６の接着部１２を剥がそうとするモーメントが小さくなり、運搬時における接着部１２の剥がれが防止され、内容物の飛び出しが防止される。
【００２４】
なお、上記実施形態では、把持縁１０として、天端フラップ７の先端縁を半円状に抉って形成したものを例示したが、把持縁１０は、天端フラップ７の先端縁を方形状や台形状、山形状等に抉ることにより形成してもよい。
【００２５】
また、包装箱として直方体のものを例示したが、側壁２と側端フラップ６との間に面取状部分を有する平面視八角形の包装箱等、他の形状の包装箱においても、端面に同様の構成を適用して、運搬時の内容物の飛び出しを防止することができる。
【符号の説明】
【００２６】
１  底壁
２  側壁
３  天壁
４  継代片
５  底端フラップ
６  側端フラップ
７  天端フラップ
８  引裂帯
９  切始部
１０  把持縁
１１  指入穴
１２  接着部
【図１】
0003171505.tif 000003
【図２】
0003171505.tif 000004
【図３】
0003171505.tif 000005
【図４】
0003171505.tif 000006
【図５】
0003171505.tif 000007